(57)【要約】要約課題    携帯型電子機器のコネクターにストラップ類を接続するホルダー装置を必要最小限度の部品点数によって構成し、有用な製品として提供できるようにする。解決手段  携帯型電子機器のコネクターにストラップ類を接続するためのホルダー装置として、コネクターを雌側として機械的に接続する雄側のコネクターベース１７を一部分に有し、ストラップ類の取り付け部３０を他の部分に有するホルダー本体１１と、上記ホルダー本体に揺動可能に取り付けられ、先端部に、コネクター側の接続相手部３９と係合可能なフック部２７を有し、上記フック部をコネクター側の接続相手部と係合する方向へ付勢するために、弾性片２８を一体に設けたフック部材２６と、上記弾性片の弾性によって付勢されているフック部材に作用し、コネクター側の接続相手部との係合を外すためにホルダー本体に組み込まれた押しボタン３３を具備する。選択図          図１
2014041662.tif 000002
【特許請求の範囲】
【請求項１】
携帯型電子機器のコネクターにストラップ類を接続するホルダー装置であって、
コネクターを雌側としこれと機械的に接続する雄側のコネクターベースを一部分に有し、ストラップ類の取り付け部を他の部分に有するホルダー本体と、
上記ホルダー本体の内部に揺動可能に取り付けられ、先端部に、コネクター側の接続相手部と係合可能なフック部を有し、上記フック部をコネクター側の接続相手と係合する方向へ付勢するために、弾性片を一体に設けたフック部材と、
上記弾性片の弾性によって付勢されているフック部材に作用し、コネクター側の接続相手部との係合を外すためにホルダー本体に組み込まれた押しボタン
を具備して構成された携帯型電子機器用ストラップ類のホルダー装置。
【請求項２】
ホルダー本体は、二分割されたハウジングとそれらの内部に固定される基板とから成り、フック部材は、中央部にて、ホルダー本体側に設けられた支軸に揺動可能に軸支され、上記支軸の軸受と先端部のフック部との間に弾性片が設けられ、上記フック部とは反対側にフック部材の基端部が伸びており、上記基端部にストラップ類の取り付け部が設けられており、上記基板はコネクターベースと一体の構造体として設けられるとともに、上記基板に支軸と弾性片受けが設けられている請求項１記載の携帯型電子機器用ストラップ類のホルダー装置。
【請求項３】
コネクターがＵＳＢコネクターであり、このＵＳＢコネクターと接続するコネクターベースを有し、フック部材は一対のフック部を有し、上記一対のフック部はコネクターベースの一面に形成された一対の溝部に配置した構成を有する
請求項１記載の携帯型電子機器用ストラップ類のホルダー装置。
【請求項４】
フック部について、係止部とコネクターの側の接続相手部とで作る先端角度が鋭角であることを特徴とする請求項１ないし３の何れかに記載の携帯型電子機器用ストラップ類のホルダー装置。
【発明の詳細な説明】
【技術分野】
【０００１】
本発明は、携帯型電子機器のコネクターにストラップ類を接続するホルダー装置に関するものである。
【背景技術】
【０００２】
携帯型の電子機器は多岐に亘るが、それらは通信線への接続が可能なものとそうでないものの二種に大別することができる。例えば、ｉＰｈｏｎｅ（アップル社の登録商標）等のスマートフォンに代表される機器は携帯情報端末として前者に属し、ｉＰｏｄ（アップル社の登録商標）やウォークマン（ソニー（株）の登録商標）は音楽プレイヤーとして後者に属するものである。これらの電子機器には、ストラップ等の保持手段を付属しないものも少なくないという共通点もある。なお、本発明における携帯型電子機器は、上記携帯情報端末及び携帯型音楽プレイヤー等を含むとともに、携帯電話機やモバイルルーターなども包含するより広い概念のものとして捉えている。【０００３】
このような携帯型電子機器の内、ストラップ等の保持手段を付属しない上記の電子機器では、手に持って操作をしている間はともかくとして、そうでない場合には、取り落とし易いという問題がある。これに対して、上記電子機器にはＵＳＢコネクターなどの通信用コネクターを備えているものも多く、ＵＳＢの雌側をソケットとしそこに雄側のプラグを差し込むようにすれば、ストラップ状のものをプラグに取り付けることも可能になる。しかし、この場合、相互に嵌合しているソケットとプラグには摩擦力が働いているだけであるから、荷重が掛かったり僅かな外力が加わったりするだけで抜け易く、嵌合が外れれば電子機器を落下させ重大な破損を招くことにもなり、携帯型電子機器を保持する手段として特段有用なものとはいえない。【０００４】
先行技術を調査すると、特開２００５−６５００５号がある。これは、首掛け型のストラップと、前記ストラップを環状に連結した連結部材とを具備し、前記ストラップに１以上の入力部が組み込まれ、前記連結部材に前記入力部と携帯型電話機もしくは携帯型情報端末との接続コネクターが備えられた入出力装置に関する発明であるが、連結部材に挿し込むＵＳＢ端子に抜け止めは施されていない。また、特開２００９−１７７９９６号は、常時は前記キャラクタ部の内部に格納され且つ携帯端末の充電用コネクターと接続可能なコネクター部と、前記電源接続部からの電源を前記コネクター部に制御して供給する電源制御回路部とを備えている。しかし、この場合もコネクター部に抜け止めを施すことについて何も記載されていない。この種のものはどのような取り付け構成を取るかによって、実現が容易にも、また、難しくもなり、構造の合理化及び部品点数の多少が製品としての成功を分けるものであるが、抜け止めについての提案は何もなされていない。【０００５】
【特許文献１】特開２００５−６５００５号
【特許文献２】特開２００９−１７７９９６号
【発明の開示】
【発明が解決しようとする課題】
【０００６】
本発明は前記の実情に鑑みてなされたもので、その課題は、携帯型電子機器のコネクターにストラップ類を接続するホルダー装置を必要最小限度の部品点数によって構成し、有用な製品として提供できるようにすることである。また、本発明の他の課題は、ストラップ等の保持手段を付属していない携帯型電子機器にストラップ類による保持機能を備えさせることである。
【課題を解決するための手段】
【０００７】
前記の課題を解決するため、本発明は、携帯型電子機器のコネクターにストラップ類を接続するホルダー装置として、コネクターを雌側としこれと機械的に接続する雄側のコネクターベースを一部分に有し、ストラップ類の取り付け部を他の部分に有するホルダー本体と、上記ホルダー本体の内部に揺動可能に取り付けられ、先端部に、コネクター側の接続相手部と係合可能なフック部を有し、上記フック部をコネクター側の接続相手と係合する方向へ付勢するために、弾性片を一体に設けたフック部材と、上記弾性片の弾性によって付勢されているフック部材に作用し、コネクター側の接続相手部との係合を外すためにホルダー本体に組み込まれた押しボタンを具備して構成するという手段を講じたものである。【０００８】
本発明は、実際にストラップを取り付けることを一つの目的とするものである。しかしながら、本発明におけるストラップ類という文言は、いわゆるストラップという文言から想起される物品に限定するものではなく、例えば、チェーンやリングその他携帯型電子機器の保持に用いられるものを含んでいる。つまり、本発明のホルダー装置は携帯型電子機器とストラップ類をつなぐ一種のインターフェイスに当たる。【０００９】
このホルダー装置は、大別して、ホルダー本体と、フック部材と、押しボタン及びホルダー本体側に取り付けられるコネクターベースとストラップ類の取り付け部の５点によって構成することができる。実施形態では、製造容易化の観点からホルダー本体を複数部材から構成しているので、５点よりも多くなるが、必要最小限度の構成部品は上記が全てである。【００１０】
上記ホルダー本体は、コネクターを雌側としこれと機械的に接続する雄側のコネクターベースを一部分に有し、ストラップ類の取り付け部を他の部分に有している。ホルダー本体は、本発明のホルダー装置に必要となる構成部品を取り付ける部分であり、構成部品の組み込みのために中空な内部構造を有する。具体的には、ホルダー本体は、二分割されたハウジングとそれらの内部に固定される基板とから成ることが望まれる。【００１１】
上記フック部材は、ホルダー本体に揺動可能に取り付けられ、コネクターベースに配置される先端部に、コネクター側の接続相手部と係合可能なフック部を有し、上記フック部をコネクター側の接続相手と係合する方向へ付勢するために、弾性片を一体に設けた構成を備えている。フック部材は、フック部と弾性片とを備えた一体構造の部品であることが望ましい。また、フック部材は、接続相手部と係合し、かつ、弾性によってフック部を付勢するものであるから、繰り返し弾性変形可能な、金属等の強靭な材料によって形成される必要がある。【００１２】
また、上記フック部材は、中央部にて、ホルダー本体側に設けられた支軸に揺動可能に軸支され、上記支軸の軸受と先端部のフック部との間に弾性片が設けられ、上記フック部とは反対側にフック部材の基端部が伸びており、上記基端部にストラップ類の取り付け部を取り付けられることが望ましい。これにより、フック部、弾性片、支軸、ストラップ類の取り付け部は、全てフック部材に設けられる。また、基板はコネクターベースと一体の構造体としてホルダー本体に設けられるとともに、上記基板に支軸と弾性片受けが設けられているという構成を取ることができる。【００１３】
上記押しボタンは、弾性片の弾性によって付勢されているフック部材に作用し、コネクター側の接続相手部との係合を外すためにホルダー本体に組み込まれる。押しボタンの復帰動作のための付勢力にもフック部材の弾性が利用される。さらに、コネクターがＵＳＢコネクターであり、このＵＳＢコネクターと接続するコネクターベースを有し、フック部材は一対のフック部を有し、上記一対のフック部はコネクターベースの一面に形成された一対の溝部に配置した構成は、本発明にとって好ましい形態である。
【発明の効果】
【００１４】
本発明は以上のように、携帯型電子機器のコネクターにストラップ類を接続するホルダー装置を、ホルダー本体と、フック部材と、押しボタン及びホルダー本体側に取り付けられるコネクターベースとストラップ類の取り付け部の５点によって構成することができ、有用な製品として提供できるようにすることができるという効果を奏する。また、本発明によれば、ストラップ等の保持手段を付属していない携帯型電子機器にストラップ類による保持機能を備えるものとして、上記携帯型電子機器をより使い易くすることができる。
【発明を実施するための最良の形態】
【００１５】
以下、図示の実施形態を参照して本発明をより詳細に説明する。図１は本発明に係る携帯型電子機器のコネクターにストラップ類Ｓを接続する例１のホルダー装置１０を示すものであり、ホルダー本体１１と、フック部材２６と、ストラップ類の取り付け部３０と、押しボタン３３とを有して構成されている。例１は、携帯型電子機器Ｆ１として、ｉＰｏｄ（アップル社の商品名）を対象としたもので、コネクターはＵＳＢコネクターに属するものである。【００１６】
上記ホルダー本体１１は、図３に示したように、二分割されたハウジング１２、１３とそれらの内部に固定される基板１４から成る。二つのハウジング１２、１３は箱型構造を持ち、これらを組み合わせると中空の内部を有する直方体状のものとなる。一方のハウジング１２とその内部に固定する基板１４には、相互の嵌合のための凸部１５と凹部１６から成る嵌合構造がそれぞれ形成されている（図５参照）。上記凸部１５と凹部１６は、基板１４を一方のハウジング１２に不動的に固定する構造の一部としてハウジング１２と基板１４の双方に設けられる。なお、基板１４は二つのハウジング１３を組み合わせることで最終的に固定される。【００１７】
上記基板１４は、雄側のコネクターベース１７と一体の構造体として、細長い形状に形成されており、上記コネクターベース１７は、携帯型電子機器Ｆ１のコネクターがＵＳＢコネクターであるので、上記のＵＳＢコネクター３８と接続する形状、構造に形成されている。また、コネクターベース１７には、後述の左右一対のフック部２７、２７を配置する溝部１７ａ、１７ｂが設けられている。さらに、基板１４には、左右方向の支軸１８、１８が基部の左右両側面に設けられるとともに、左右の弾性片受け１９、１９がコネクターベース１７と支軸１８、１８との間の位置に設けられている。【００１８】
この実施形態における、他方のハウジング１３は、上記一方のハウジング１２の内縁に沿って設けられた立ち上がり部２０と嵌合するように設けられ、また、押しボタン３３を配置する開口部２１を面板部分に有している。また、二つのハウジング１２、１３には、フック部材２６と、ストラップ類の取り付け部３０等をホルダー本体１１に取り付けるために前後の取り付け口２２、２３、２４、２５が形成されている。これらの内、前部取り付け口２２、２３はＵＳＢ端子の断面形状に適合するように、後部取り付け口２４、２５はストラップ類の取り付け部３０の嵌合基部３０ａの断面形状に適合するようにそれぞれ設けられている。【００１９】
上記フック部材２６は、ホルダー本体１１に揺動可能に取り付けられ、コネクターベース１７の溝部１７ａ、１７ｂに配置される先端部に、ＵＳＢコネクター３８と係合可能な左右一対のフック部２７、２７を有している。フック部２７としては、フック部２７の係止部とコネクター３８の側の接続相手部３９とで作る先端角度Ａが鋭角であることが望まれる。図３、図５、図６及び図７はその形態を図示しており、この先端角度Ａが鋭角であることにより、ＵＳＢコネクター３８の側の接続相手部３９との係合をより安定させることができる、その一方では鋭角の先端部を丸く成形し過度の引っ掛かりを生じないようにして取り外しの円滑化を図っている。図７に詳細に示した接続相手部３９は、携帯型電子機器Ｆ１にソケットとして設けられた、ＵＳＢコネクター３８の凹部の内壁面に形成されており、上記角度Ａから成るフック部２７と係合して脱落を防止し、安定な接続を維持することができる。【００２０】
また、上記フック部２７、２７をＵＳＢコネクター３８と係合する方向へ付勢するために、弾性片２８、２８を一体に設けた構成を有している。フック部材２６は、ホルダー本体側に設けられた左右方向の支軸１８、１８にて揺動可能にそれぞれ軸支するための左右の軸受２９、２９を有している。このため、弾性片２８、２８は上記軸受２９と先端部のフック部２７との間に位置し、上記フック部２７とは反対側にフック部材２６の基端部が位置しており、この基端部には内部のストラップ類取り付け部３１が形成されている。弾性片２８、２８は、支軸１８の前方に伸びており、その形態の変更又は弾性片受け１９の位置との関係により、ばね性を調節することができる。【００２１】
フック部材２６は、フック部２７と軸受２９との間、具体的には弾性片２８を設けた位置付近に、第二の弾性片３２を有しており、前記の押しボタン３３は第二の弾性片３２に嵌合軸３３ａにて設けられている（図５参照）。前記弾性片２８及び第二の弾性片３３は型成形によって打ち抜かれた、フック部材２６の片持ち構造的な部分であり、この構造により弾性構造を得ている。フック部材２６とともに金属製とすることが望ましい部材はコネクターベース１７を覆って取り付けるコネクターベースカバー３４である。その一面において、コネクターベース１７の溝部１７ａ、１７ｂと重なる位置に長孔３４ａ、３４ｂを形成し、フック部２７、２７を露出させている。【００２２】
このコネクターベースカバー３４はコネクターベース１７に嵌合させて、その構造強度を補強するものであり、組み立てられると、基端部に設けた立ち上がり部３５が上部ハウジング１３の内壁面等に係合し、コネクターベース１７に作用する外力に対抗する。各図において、３６は下向きの突起であり、上部ハウジング１３の前側中央部に設けられ、組み立てられると基板１４側の嵌合孔３７と嵌合する。【００２３】
上記の例１は、携帯電話機を対象としたもので、コネクターはＵＳＢコネクターのＭｉｃｒｏ−ＵＳＢ型であるが、本発明は上記の型に止まらず、携帯型電子機器Ｆ２がコネクターを内蔵した無線ヘッドセットやモバイルルーターなどの携帯端末や携帯電話である場合にも適用することができる。図８、図９はその例２を示しており、例２の場合、コネクターはウォークマン（ソニーの商品名）の通信コネクター型であるほか、具体的な構成は例１と全く同じで良いので詳細な説明を繰り返さない。【００２４】
例２は、携帯型電子機器Ｆ２が採用しているＵＳＢコネクターのＭｉｃｒｏ−ＵＳＢ型に適合するコネクターベース１７′を有しているが、フック部材２６′の形態、フック部２７′、２７′の間隔ないしは大きさを変更することによって対応することができる。このような形態変更に伴い、ホルダー本体１１′を構成するハウジング１２′、１３′等の形態も変更されるが、全体の構成は前記の通り例１と同じで良いので、対応する構成要件部分の符号を援用し、それにダッシュを付して区別することにする。【００２５】
本発明に係る携帯型電子機器用ストラップ類のホルダー装置１０、１０′は、上記のように構成されており、ＵＳＢコネクター３８の側に雄側のコネクターベース１７、１７′の部分を差し込んで嵌合させると、そのフック部２７、２７、２７′、２７′が、接続相手部３９と係合し、図２又は図９に示すように、ストラップ等の保持手段を付属していない携帯型電子機器Ｆ１、Ｆ２等に、ストラップ類Ｓによる保持機能を備えさせることができる。取り外し時には、押しボタン３３、３３′を押し込むことにより、フック部２７、２７′と接続相手部３９との係合とを容易に外すことができる。【００２６】
このように、本発明によれば、フック部材２６は板バネの特性を利用したものであり、簡単な構造を備えており、製造及び組立ても容易である。特に、本発明によれば、二分割されたハウジング、基板、フック部材、弾性片など数点の部品によって本発明に係る携帯型電子機器用ストラップ類のホルダー装置が構成されるので、極めて合理的であり、製造工数、製造コスト等を最小限度に抑制することができる。
【図面の簡単な説明】
【００２７】
【図１】本発明に係る携帯型電子機器用ストラップ類のホルダー装置の例１を示す斜視図である。
【図２】同上の装置による使用状態の一例を示す斜視図である。
【図３】同上の装置の構成部品を分解して示す側面図である。
【図４】同上の装置の構成部品を分解して示す斜視図である。
【図５】同じく上記装置の縦断面図である。
【図６】同じく上記装置の内部構造を示す側面図である。
【図７】本発明のホルダー装置を電子機器に接続した状態を示す断面図である。
【図８】同じく本発明に係る携帯型電子機器用ストラップ類のホルダー装置の例２を示す斜視図である。
【図９】同上の装置による使用状態の一例を示す斜視図である。
【符号の説明】
【００２８】
１０、１０′  携帯型電子機器用ストラップ類のホルダー装置
１１、１１′  ホルダー本体
１２、１２′、１３、１３′  ハウジング
１４  基板
１５  凸部
１６  凹部
１７  コネクターベース
１８  支軸
１９  弾性片受け
２０  立ち上がり部
２１  開口部
２２、２３、２４、２５  取り付け口
２６、２６′  フック部材
２７、２７′  フック部
２８  弾性片
２９  軸受
３０、３０′  ストラップ類の取り付け部
３２  第二の弾性片
３３、３３′  押しボタン
３４  コネクターベースカバー
３５  立ち上がり部
３６  下向き突起
３７  嵌合孔
３８  ＵＳＢコネクター
３９  接続相手部
【図１】
2014041662.tif 000003
【図２】
2014041662.tif 000004
【図３】
2014041662.tif 000005
【図４】
2014041662.tif 000006
【図５】
2014041662.tif 000007
【図６】
2014041662.tif 000008
【図７】
2014041662.tif 000009
【図８】
2014041662.tif 000010
【図９】
2014041662.tif 000011
【国際調査報告】
2014041662.tif 000012
2014041662.tif 000013
2014041662.tif 000014
2014041662.tif 000015